(57)【要約】      （修正有）【課題】特定のユーザに対して自動的に動画の撮影を行い、撮影した映像データを当該ユーザへ提供することが可能な、撮影システム及び撮影方法を提供する。【解決手段】複数のカメラにより予め定めた撮影エリア内を撮影する撮影手段５０、５１、５２と、撮影対象の特定情報を取得する特定情報取得手段３１と、前記撮影手段による撮影対象の少なくとも撮影開始タイミングまたは撮影終了タイミングを検出するタイミング検出手段７０、７１と、前記撮影手段で撮影した映像データを記録する記録手段４０と、を少なくとも備え、前記撮影対象の特定情報と前記撮影対象が撮影された映像データとが関連付けられて、前記記録手段４０に記録されることを特徴とする。【選択図】図１
2007028130.tif 000002
【特許請求の範囲】
【請求項１】
複数のカメラにより予め定めた撮影エリア内を撮影する撮影手段と、撮影対象の特定情報を取得する特定情報取得手段と、前記撮影手段による撮影対象の少なくとも撮影開始タイミングまたは撮影終了タイミングを検出するタイミング検出手段と、前記撮影手段で撮影した映像データを記録する記録手段と、を少なくとも備え、前記撮影対象の特定情報と前記撮影対象が撮影された映像データとが関連付けられて、前記記録手段に記録することを特徴とする撮影システム。
【請求項２】
前記撮影手段によって撮影した映像を無線で送信する送信手段と、前記撮影エリアとほぼ等しい受信エリアを有し、前記送信手段から送信される前記撮影手段で撮影された映像データを受信する基地局と、前記基地局で受信した映像データを記録する記録手段とを備え、前記ユーザを特定する情報と前記基地局が受信した映像データとが関連付けられて、前記記録手段に記録することを特徴とする請求項１記載の撮影システム。
【請求項３】
前記撮影対象の前記撮影エリアにおける位置を検出する位置検出手段を備え、該位置検出手段により、前記撮影対象の位置を検出し、該位置を撮影するよう予め定めた前記撮影エリアに配置されている前記撮影手段によって撮影された映像が、前記撮影対象の特定情報と関連付けられて、前記記録手段に記録することを特徴とする請求項１または請求項２に撮影システム。
【請求項４】
前記記録手段に対して、前記映像データへのアクセス可能な閲覧者を設定するアクセス権設定手段を備え、前記映像データ送信手段は、前記アクセス権設定手段により前記映像データへのアクセスを許可された前記閲覧者の端末装置へ前記映像データの配信を許可することを特徴とする請求項１から請求項３記載のいずれか１項に記載の撮影システム。
【請求項５】
前記記録手段に、前記撮影手段に予め付与したＩＤを認証する認証手段を備え、ネットワークを介して接続される端末装置から送信される前記ＩＤを認証し、認証された前記端末装置において前記ＩＤに対応する前記映像データを配信する映像データ配信手段を備えることを特徴とする請求項１から４のいずれか１項に記載の撮影システム。
【請求項６】
前記記録手段から映像データをダウンロードする際、使用する端末装置が携帯情報通信端末であった場合、前記映像データを前記携帯情報通信端末で再生可能なフォーマットに自動的に変換して提供することを特徴とする請求項５に記載の撮影システム。
【請求項７】
前記撮影対象が前記ＩＤの付与を受ける際、または前記撮影対象あるいは前記閲覧者が前記映像データを前記端末装置を用いて前記記録手段から前記映像データの配信を受ける際に、前記撮影対象あるいは前記閲覧者に課金することを特徴とする撮影システム。
【請求項８】
複数のカメラにより予め定めた撮影エリア内を撮影する撮影手順と、撮影対象の特定情報を取得する特定情報取得手順と、前記撮影手段による撮影対象の少なくとも撮影開始タイミングまたは撮影終了タイミングを検出するタイミング検出手順と、前記撮影手段で撮影した映像データを記録する記録手順と、を少なくとも備え、前記撮影対象の特定情報と前記撮影対象が撮影された映像データとが関連付けられて、前記記録手段に記録することを特徴とする撮影方法。
【発明の詳細な説明】
【技術分野】
【０００１】
本発明は、撮影対象が順々に通過するような場面での撮影システム及び自動撮影方法並びに自動撮影サービスに関する。
【背景技術】
【０００２】
近年、ビデオカメラは小型・軽量化、低価格化が進んだことで身近な存在となってきている。また、高機能化により、高度な撮影技術を持たなくとも手軽に高画質な映像が撮影できるようになったため、運動会やレジャーなど様々なシーンでビデオ撮影を楽しむユーザが増えてきている。
【０００３】
しかし、観光地や遊園地やスキー場等のレジャー施設を訪れても、撮影者は自分の映像を撮影することはできない。自分の映像を撮影するためには誰か他人に撮影を依頼するか、自分で三脚等にビデオカメラを固定して撮影を行うことになる。同様の問題はスチルカメラにおいても起こり得るが、スチルカメラの場合は操作が簡単である上に撮影時間も一瞬であるため、比較的気軽に他人に依頼したり、カメラを三脚等に固定して撮影を行うことが可能である。一方、ビデオカメラの場合は、スチルカメラに比べて操作が難しい上に、動画であるがゆえにある程度長い時間撮影を行わないと面白みに欠けるため、他人に撮影を依頼するのは困難である。また、カメラを固定して撮影を行うことも、通行の妨げになるため困難である。
【０００４】
近年、遊園地やスキー場等のレジャー施設において、定点カメラによる特定の撮影希望者を撮影するサービスや撮影対象を自動的に追尾して撮影するサービスも実現されてきている（例えば、特許文献１）。
【特許文献１】特開２００３−１１６１２７号公報
【発明の開示】
【発明が解決しようとする課題】
【０００５】
しかしながら、上記の撮影は、１箇所に設置された定点カメラによる撮影であるため、必ずしも期待したアングルから撮影されるわけではない。
【０００６】
また、ジェットコースター等遊園地のアトラクションやスキー場においては、被写体の移動距離が長いうえに、１地点からでは撮影が困難な場所も多数存在するため、コースの最初から最後までを撮影することは１台のビデオカメラでは非常に困難である。
【０００７】
特に、スキー場においては、近年、モーグル専用コースやハーフパイプ等、自分のスキーやスノーボードの技術を試すのに適したコースが盛んに設置されてきている。スキーやスノーボードに限らず、スポーツにおける技術向上の近道は自分の動作を映像で見て確認することであるといえる。前記のコースにおいて、通常、スキーヤーまたはスノーボーダーが技術をアピールするためのポイント（ジャンプ台等）が複数箇所設置されるが、これらのポイント全てを１台のビデオカメラで撮影することは難しい。
【０００８】
本発明は、このような事情に鑑みてなされたもので、特定のユーザに対して自動的に動画の撮影を行い、撮影した映像データを当該ユーザへ提供することが可能な、撮影システム及び撮影方法を提供することを目的としている。
【課題を解決するための手段】
【０００９】
本発明の請求項１に係る撮影システムは、上記目的を達成するために、複数のカメラにより予め定めた撮影エリア内を撮影する撮影手段と、撮影対象の特定情報を取得する特定情報取得手段と、前記撮影手段による撮影対象の少なくとも撮影開始タイミングまたは撮影終了タイミングを検出するタイミング検出手段と、前記撮影手段で撮影した映像データを記録する記録手段と、を少なくとも備え、前記撮影対象の特定情報と前記撮影対象が撮影された映像データとが関連付けられて、前記記録手段に記録することを特徴とするものである。
【００１０】
したがって、被写体の移動距離が長い場合や、遮蔽物の存在により１地点からでは撮影が困難な場所についても、全体の撮影が可能となることである。
【００１１】
また、本発明の請求項２に係る撮影システムは、前記撮影手段によって撮影した映像を無線で送信する送信手段と、前記撮影エリアとほぼ等しい受信エリアを有し、前記送信手段から送信される前記撮影手段で撮影された映像データを受信する基地局と、前記基地局で受信した映像データを記録する記録手段とを備え、前記ユーザを特定する情報と前記基地局が受信した映像データとが関連付けられて、前記記録手段に記録することを特徴とする。  
【００１２】
ここで、前記基地局と前記送信手段との間の無線アクセス方法は、無線ＬＡＮ、ＦＷＡ（Fixed Wireless Access）等方法は問わず、ある程度の速度で映像データを伝送できるものであればよい。ただし、高画質の映像データを多数の送信手段から送信する場合には、より高速な無線アクセス方法であるＦＷＡを使用することが望ましい。そして、前記基地局と前記記録手段との間で、映像データは無線また有線によって伝送される。
【００１３】
また、本発明の請求項３に係る撮影システムは、前記撮影対象の前記撮影エリアにおける位置を検出する位置検出手段を備え、該位置検出手段により、前記撮影対象の位置を検出し、該位置を撮影するよう予め定めた前記撮影エリアに配置されている前記撮影手段によって撮影された映像が、前記撮影対象の特定情報と関連付けられて、前記記録手段に記録することを特徴とする。
【００１４】
また、本発明の請求項４に係る撮影システムは、前記記録手段に対して、前記映像データへのアクセス可能な閲覧者を設定するアクセス権設定手段を備え、前記映像データ送信手段は、前記アクセス権設定手段により前記映像データへのアクセスを許可された前記閲覧者の前記端末装置へ前記映像データの配信を許可することを特徴とする。
【００１５】
ここで、アクセス権の設定は、特定の閲覧者に対して個別に行ったり、予め登録した家族や友人等、複数の閲覧者から成るグループ単位で行ってもよいものとする。もちろん全ての閲覧者に対してアクセスを許可してもよい。
【００１６】
また、本発明の請求項５に係る撮影システムは、前記記録手段に、前記撮影手段に予め付与したＩＤを認証する認証手段を備え、ネットワークを介して接続される端末装置から送信される前記ＩＤを認証し、認証された前記端末装置において前記ＩＤに対応する前記映像データを配信する映像データ配信手段を備えることもできる。
【００１７】
ここで、ネットワークとは、主としてインターネットであるが、これに限定されず、例えば、ＬＡＮ（Local Area Network）、ＭＡＮ（Metropolitan Area Network）、ＷＡＮ（Wide Area Network）等、様々な形態のものが含まれ、伝送方式は有線であるか無線であるかを問わない。つまり、複数地点間である程度の速度で情報を伝送できるものであればよい。
【００１８】
そして、端末装置とは、パーソナルコンピュータ、携帯電話機（ＰＨＳを含む）、ＰＤＡ（Personal Digital Assistant）、ゲーム機等、ネットワークを介して前記映像サーバに接続でき、且つ中央演算処理装置（ＣＰＵ）の性能、画面の解像度、記憶手段の容量等が、前記映像サーバから配信される前記映像データを保存及び再生するのに十分であれば使用できるものとする。
【００１９】
また、本発明の請求項６に係る発明は、前記記録手段から映像データをダウンロードする際、使用する端末装置が携帯情報通信端末であった場合、前記映像データを前記携帯情報通信端末で再生可能なフォーマットに自動的に変換して提供することを特徴とする。
【００２０】
また、本発明の請求項６に係る発明は、前記撮影対象が前記ＩＤの付与を受ける際、または前記撮影対象あるいは前記閲覧者が前記映像データを前記端末装置を用いて前記記録手段から前記映像データの配信を受ける際に、前記撮影対象あるいは前記閲覧者に課金することを特徴とする。
【００２１】
このように、本発明は上記構成により、ユーザは他人に撮影を依頼したり、ビデオカメラを三脚等で固定して撮影を行うことなく、自分のビデオ映像を入手することができる。また、撮影された映像データは映像サーバに記録され、ユーザは端末を用いて当該映像データを入手することができる。更に、同行者や友人等に当該映像データを配布したい場合には、当該映像データのアクセス権の設定を行うことで、ユーザはビデオテープやＤＶＤ等の媒体に複製を行うことなく映像を配布することができる。
【発明の効果】
【００２２】
本発明の撮影システム及び撮影方法並びに自動撮影サービスによれば、施設内に設置されたカメラで自動的に撮影が行われるため、ビデオカメラの準備、携帯及び撮影の手間を省くことができ、更に撮影者自身の映像を撮影することができないという問題を解消できる。
【発明を実施するための最良の形態】
【００２３】
以下、図面に基づいて本発明に係る撮影システムの好ましい実施の形態について説明する。
（実施の形態１）
図１は、本実施形態の撮影システムの全体構成が示されている。
【００２４】
本実施形態の撮影システムは、撮影エリア２０に設置されたカメラ５０、５１、５２等の撮影手段と、撮影対象ユーザのユーザ特定情報を取得する手段、例えば、ユーザが予め購入した、ＲＦＩＤやＩＣカード等電磁的な方法またはバーコードやＱＲコード等によってユーザ特定情報が記録されたチケット３０と、チケット３０に記録されたユーザ情報を読み取るためのチケットリーダ３１と、カメラ５０、５１、５２による撮影対象ユーザの少なくとも撮影開始タイミングと撮影終了タイミングまたは撮影エリア内での位置を検出するタイミング検出手段、例えば、光や赤外線等を利用した通過センサ７０、７１と、カメラ５０、５１、５２によって撮影した映像を無線で送信する送信手段６１、６２、６３と、撮影エリアとほぼ等しい受信エリアを有し、送信手段６１、６２、６３から送信されるカメラ５０、５１、５２で撮影された映像データを受信する基地局６０と、チケットリーダ３１で読み取られたユーザ情報と基地局６０で受信した映像データとを関連付けて記録する映像サーバからなる記録手段４０と、インターネット等のネットワーク８０を介して映像サーバと接続されるパーソナルコンピュータや携帯電話等の端末装置９０とを備えている。
【００２５】
ここで、撮影エリア２０に設置されたカメラ５０、５１、５２は、予め設定した範囲を一定のアングルで撮影してもよいが、被写体を認識して自動的に追尾またはズームなどを行うタイプのカメラを使用してもよい。
【００２６】
ここで、ユーザのユーザ特定情報を取得する手段、例えばチケットリーダ３１によって取得されたユーザ情報は、記録手段４０へ有線または無線によって伝送される。無線を用いる場合、チケットリーダ３１に送信手段６１、６２、６３を接続し、送信手段６１、６２、６３から送信されたユーザ情報を基地局６０が受信して記録手段４０へ伝送する構成としてもよい。
【００２７】
また、撮影対象ユーザの撮影開始タイミングと撮影終了タイミング及び撮影エリア内での位置を検出する手段、例えば光や赤外線等を利用した通過センサ７０、７１は、送信手段６１、６２と接続され、ユーザの通過情報を無線で基地局６０へ送信する。基地局６０は該通過情報を受信して記録手段４０へ伝送する。記録手段４０は、該通過情報を基にユーザの撮影エリア内における位置を検出し、該位置を撮影するよう予め定められたカメラの情報とユーザ特定情報と関連付けて、記録手段４０に記録する。
【００２８】
図２は、本実施形態の撮影システムにおける記録手段４０の構成である。記録手段４０は、チケットリーダ３１からユーザ特定情報、基地局６０から映像データを受信し、端末装置９０との接続を行う入力手段４０ａと、基地局６０から受信した映像データを記録する映像データ記録手段４０ｂと、通過センサ７０、７１から得られた通過情報からユーザの撮影エリア内における位置を検出し、ユーザの撮影を行うカメラの情報を得るユーザ位置検出手段４０ｃと、チケットリーダ３１から受信したユーザ特定情報と、ユーザ位置検出手段４０ｃで得られたユーザを撮影しているカメラ情報とを記録するユーザ情報記録手段４０ｄと、端末装置９０から送信されるＩＤ及びパスワードからユーザの認証を行うユーザ認証手段４０ｅと、端末装置９０から送信されるＩＤとユーザ情報記録手段４０ｄに記録したユーザ特定情報とを比較し、該当する映像データを検索する映像データ検索手段４０ｆと、該映像データにアクセス権を設定するアクセス権設定手段４０ｇと、端末装置の種類に応じて映像データのフォーマットやビットレート等の変換を行う映像データ変換手段４０ｈと、ネットワーク８０を介して端末装置９０へ映像データを配信する出力手段４０ｉとを備えている。
【００２９】
上記構成の撮影システムを用いて、ユーザがカメラで自動的に撮影されてから該ユーザに映像データが配信されるまでの流れを、図１に示すスキー場での自動撮影を例にして以下で説明する。
【００３０】
ユーザは、予めＲＦＩＤやＩＣカード等電磁的な方法またはバーコードやＱＲコード等によってユーザ特定情報が記録されたチケット３０を入手する。ユーザ特定情報（ユーザＩＤ、パスワード、氏名等）は、ＲＦＩＤやＩＣカードタイプのチケットであれば、チケット購入時にチケット内のＩＣに記録する。また、バーコードやＱＲコードを利用する場合はチケット発行時にチケット表面に印刷する。
【００３１】
ユーザが、チケット３０を撮影エリア２０に設置されたチケットリーダ３１（チケットへの情報記録方法に対応したもの）に通すことで、ユーザ特定情報が読み取られ、チケットの改札時刻と共に記録手段４０へと有線または無線で送信されて記録される。ユーザ特定情報を無線を用いて伝送する場合、チケットリーダ３１に送信手段６１、６２、６３を接続し、送信手段６１、６２、６３から送信されたユーザ情報を基地局６０が受信して記録手段４０へ伝送する構成としてもよい。
【００３２】
撮影エリアに設置されたカメラ５０、５１、５２は、常時撮影エリア２０内の撮影を行うか、または記録手段４０の要求に従って撮影を行う。後者の場合、記録手段４０からの要求は、基地局６０から送信手段６１、６２、６３へ送信され、カメラ５０、５１、５２へ伝達される。カメラ５０、５１、５２で撮影された映像データは、各カメラに接続された送信手段６１、６２、６３から基地局６０を経由して記録手段４０へと送信される。記録手段４０では、各カメラからの映像データを映像データ記録手段４０ｂによって記録する。なお、カメラで撮影された映像は、各カメラあるいは映像サーバにおいてＭＰＥＧ等の標準的な動画フォーマットにエンコードされているものとする。
【００３３】
撮影エリア２０に設置された通過センサ７０、７１は、ユーザの通過を検出した場合、通過情報（センサＩＤ、通過時刻等）を接続された送信手段６１、６２から基地局６０を経由して記録手段４０へと送信する。記録手段４０のユーザ位置検出手段４０ｃは、通過情報から各通過センサをユーザが通過した時刻を得る。また、通過センサの位置からユーザの撮影エリア内における位置を検出し、予め作成された対応テーブル等から、該通過センサの位置より先のエリアを撮影するカメラを特定する。そして、記録手段４０のユーザ情報記録手段４０ｄは、チケットリーダ３１から受信したユーザ特定情報とユーザ特定情報を受信した時刻、ユーザ位置検出手段４０ｃで得られた各通過センサをユーザが通過した時刻、及び各通過時刻にユーザを撮影しているカメラの情報（カメラＩＤ等）とを関連付けて記録する。
【００３４】
上記、映像データ記録手段４０ｂによる映像データ記録と、ユーザ情報記録手段４０ｄによるユーザ特定情報、チケットの改札時刻、通過センサ通過時刻、及びカメラ情報の記録は、ユーザがチケット３０をチケットリーダ３１に通してから撮影エリア内最後の通過センサを通過するまで行われる。
【００３５】
撮影終了後の任意の時間に、ユーザはパーソナルコンピュータや携帯電話等の端末装置９０を用いて、ネットワーク８０を介して記録手段４０にアクセスし、予め付与されたユーザＩＤ及びパスワードを用いてユーザ認証を行う。
【００３６】
記録手段４０は、ユーザ認証手段４０ｅによりユーザ認証を行った後、映像データ検索手段４０ｆにより、映像サーバに記録されたユーザ情報の中からユーザＩＤに対応するユーザ情報（チケット改札時刻、通過センサ通過時刻、及びカメラ情報）を参照し、このユーザ情報を基に、映像サーバに記録された各カメラの映像データからユーザが撮影されている部分を切り出し、映像データ変換手段４０hによりユーザの端末装置９０の種類に応じて映像データのフォーマットやビットレート等の変換を行った後、出力手段４０ｉによりネットワーク８０を介してユーザの端末装置９０に配信する。ユーザは、記録手段４０から映像データを受信し、端末装置９０の表示手段を用いて映像データを鑑賞したり、ＤＶＤ等任意の記録媒体に記録することができる。また、記録手段４０のアクセス権設定手段４０ｇを用いて映像データにアクセス権を設定することで、同行者や友人等もネットワークを介して映像データを受信することができる。
【００３７】
このように、本発明の撮影システムでは、ユーザがチケット３０をチケットリーダ３１に通せば自動的に撮影が開始され、撮影エリア内最後の通過センサを通過すれば自動的に撮影が終了するため、ユーザはカメラの用意をすることなく簡単に自分の映像データを入手することができる。また、映像データにアクセス権を設定することで、同行者や友人等もネットワークを介して映像データを配布することができるため、ＤＶＤ等の記録媒体に複製して配布する手間とコストを削減することができる。
【００３８】
上記実施の形態に係る撮影システムの具体的な撮影方法について、図３を用いて説明する。図３は、本発明の一実施形態の自動撮影方法の手順を示すフローチャート図である。なお、以下の説明では、映像サーバは各カメラから送られてくる映像データを絶えず受信し、ＨＤＤ等の記録媒体に記録しているものとする。
【００３９】
まず、ステップＳ１０１において、ユーザ１０は本自動撮影サービスを利用するにあたり、ユーザＩＤ、パスワード、氏名等を登録し、それらが記録されたチケット３０を入手する。
【００４０】
次に、ステップＳ１０２において、ユーザ１０はチケット３０を撮影エリア２０内のチケットリーダ３１に読み取らせること（改札）で、ステップＳ１０３において、チケットに記録されたユーザＩＤ及びチケット改札時刻が記録手段４０に送信される。
【００４１】
次に、ステップＳ１０４において、記録手段４０は、ユーザＩＤとチケット改札時刻（ユーザ１０の撮影開始タイミングとなる）と、予めチケットリーダ付近を撮影すると定められたカメラのＩＤとを関連付けて記録する。
【００４２】
次に、ステップＳ１０５において、撮影エリア２０内をユーザ１０が移動し、ユーザの通過センサ７０、７１の通過を検出すると、ステップＳ１０６において、通過センサに接続された送信手段６１、６２はセンサＩＤと通過時刻とを基地局６０を経由して記録手段４０へ送信する。
【００４３】
次に、ステップＳ１０７において、映像サーバは、センサＩＤを受信すると、該通過センサの位置より先のエリアを撮影する、予めセンサＩＤに対応付けられたカメラを特定し、ユーザＩＤ、通過時刻とともに該カメラのＩＤを関連付けて記録する。
【００４４】
次に、ステップＳ１０８において、ユーザ１０が撮影エリア２０の全ての通過センサを通過したか否かの判定を行い、全て通過していればユーザ１０についての記録を終了する。
【００４５】
次に、ステップＳ１０９において、ユーザ１０はパーソナルコンピュータ、携帯電話機、ＰＤＡ等の端末装置９０を用いてネットワーク８０を介して映像サーバにアクセスし、予め登録したユーザＩＤ、パスワード等を用いて記録手段４０との接続を行う。
【００４６】
一方、ステップＳ１１０において、記録手段４０はユーザ認証手段４０ｅによりユーザ１０の認証を行い、認証が成功した場合、ステップＳ１１１において、ユーザ情報記録手段によって記録されたユーザ情報の中から、ユーザＩＤに対応するユーザ情報を検索する。
【００４７】
次に、ステップＳ１１２において、ステップＳ１１１で検索したユーザ１０の通過センサ通過時刻とカメラＩＤを基に、記録手段４０に記録された各カメラの映像データからユーザが撮影されている部分を切り出し、時間軸に沿ってつなぎ合わせることで一本の映像データを作成する。
【００４８】
次に、ステップＳ１１３において、ユーザ１０の使用する端末装置９０の種類を判定し、その結果から映像データの変換（動画フォーマット、ビットレート、画面サイズ等）が必要か否かを判定する。変換が必要であれば、ステップＳ１１４において、映像データの変換を行う。
【００４９】
最後に、ステップＳ１１５において、映像データをネットワーク８０を介してユーザ１０の端末装置９０へ送信する。ユーザ１０は、記録手段４０から映像データを受信し、端末装置９０の表示手段を用いて映像データを鑑賞したり、ＤＶＤ等任意の記録媒体に記録することができる。
【００５０】
また、本実施の形態では、ユーザ特定情報の取得に、ＲＦＩＤやＩＣカードタイプのチケットや、バーコードやＱＲコード等が印刷されたチケットを利用した場合について記載したが、チケットの代わりに非接触ＩＣチップを搭載した携帯電話を利用してユーザ特定情報の取得及び料金の決済を行う構成とすることも可能である。
（実施の形態２）
図４および図５に複数のカメラの撮影の切り替えの様子を示す。
【００５１】
各々のカメラは、各々のカメラに対応するタイミング検出手段のタイミングに基づいて撮影対象を撮影する。ここで、ユーザ１を撮影している場合、図４のように順次切り替えを行うこともできるし、図５のように、すべてのカメラによる撮影後に切り替えを行うことも可能である。
【００５２】
このように撮影のタイミングを適宜切り換えることにより、複数のカメラによる撮影を効率よく行うことができる。
【００５３】
なお、撮影のタイミングを切り換える代わりに、識別情報を関連して記録するタイミングを切り換えるような構成にすることもできる。
【００５４】
すなわち、予め定めた撮影エリア内を撮影する第１の撮影手段と、前記第１の撮影手段の撮影エリア内とは違うエリア内または同一のエリア内を撮影する第２の撮影手段と、撮影対象を識別するための識別情報を前記撮影対象から受信する第１の受信手段および第２の受信手段と、前記第１の撮影手段により撮影した第１の映像データと前記第２の撮影手段により撮影した第２の映像データを記録する記録手段と、前記第１の受信手段が前記識別情報を受信したことにより、前記記録手段が、前記第１の撮影手段で撮影した前記第１の映像データと前記識別情報とを関連付けて記録し、前記第２の受信手段が前記識別情報を受信したことにより、前記第２の撮影手段で撮影した前記第２の映像データと前記識別情報とを関連付けて記録し、前記第１の撮影手段で撮影した前記第１の映像データと前記識別情報とを関連付けて記録することを終了する制御手段と、を備えるような構成とすることもできる。
【００５５】
この構成により、通常の撮影、識別情報を持つユーザの撮影の切換を効率よく行うことができるようになる。
【産業上の利用可能性】
【００５６】
本発明の撮影システムは、遊園地のジェットコースター等のアトラクションやスキー場のモーグル専用コースやハーフパイプ等、撮影対象が順々に通過するような場面での自動撮影に有効である。
【図面の簡単な説明】
【００５７】
【図１】本発明の一実施形態の撮影システムの全体構成を示す図
【図２】前記撮影システムにおける映像サーバの構成を示す図
【図３】本発明の一実施形態の自動撮影方法の手順を示すフローチャート
【図４】本発明の一実施形態の複数のカメラの切り替えを示す図
【図５】本発明の一実施形態の複数のカメラの切り替えを示す図
【符号の説明】
【００５８】
１０  ユーザ
２０  撮影エリア
３０  チケット
３１  チケットリーダ
４０  記録手段
５０、５１、５２  カメラ
６０  基地局
６１、６２、６３  送信手段
６４、６５、６６  映像データ
７０、７１  通過センサ
８０  ネットワーク
９０  端末装置
【図１】
2007028130.tif 000003
【図２】
2007028130.tif 000004
【図３】
2007028130.tif 000005
【図４】
2007028130.tif 000006
【図５】
2007028130.tif 000007